(57)【要約】【課題】  表示装置の入力状態に応じた処理を映像出力装置に行わせることのできる映像処理装置及び表示装置を提供する。【解決手段】  メニュー画面表示切替ボタン２ｂが押下されたことを検知すると（Ｓ７０１）メニュー画面の出力状態がオンであるか否かを確認し（Ｓ７０２）、メニュー画面の出力状態であれば（Ｓ７０２のＹｅｓ）、表示装置３の入力状態を確認する制御コマンドをコマンド送受信部２４は送信する（Ｓ７０４）。問い合わせの結果、表示装置３の入力がＨＤＭＩ信号線４である場合には（Ｓ７０５のＹｅｓ）、メニュー画面の出力状態をトグルで切り換える（Ｓ７０３）。メニュー画面の出力がオンであり（Ｓ７０２のＹｅｓ）、且つ表示装置３に入力されている映像信号が映像出力装置２以外のものである場合には（Ｓ７０５のＮｏ）、メイン処理部２１はメニュー画面の出力状態のトグルを行わない。【選択図】      図５
2008092208.tif 000002
【特許請求の範囲】
【請求項１】
表示装置と通信する映像出力装置であって、
映像信号を前記表示装置に出力する映像信号出力部と、
前記映像信号出力部が出力する映像信号の映像を前記表示装置が表示しているか否かを確認する第１の制御コマンドを送信する制御信号送信部と、
前記映像信号出力部が出力する映像信号の映像を前記表示装置が表示しているか否かを知らせる第２の制御コマンドを、前記第１の制御コマンドの応答として受信する制御信号受信部と
を備えることを特徴とする映像出力装置。
【請求項２】
前記映像信号出力部、前記制御信号送信部、及び前記制御信号受信部は、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）により前記表示装置と通信し、
前記制御信号送信部及び前記制御信号受信部は、ＨＤＭＩ  ＣＥＣ（Ｃｏｎｓｕｍｅｒ  Ｅｌｅｃｔｏｒｏｎｉｃｓ  Ｃｏｎｔｒｏｌ）による制御コマンドを通信すること
を特徴とする請求項１記載の映像出力装置。
【請求項３】
請求項１記載の映像出力装置において、
前記表示装置へのメニュー画面の表示／非表示を交互に切り換えるための操作入力を受ける操作部と、
前記映像信号出力部にメニュー画面の映像信号を出力させる制御部と
をさらに備え、前記操作部への操作入力がされると、
前記制御信号送信部は、前記表示装置が前記映像信号出力部から出力される映像信号の映像を表示しているか否かを確認する前記第１の制御コマンドを送信し、
前記制御部がメニュー画面の映像信号を前記映像出力部に出力させており、且つ、前記表示装置が前記映像出力部から出力される映像信号の映像を表示していない場合に、前記制御部はメニュー画面の出力状態を変化させず、前記制御信号送信部は前記表示装置に前記映像信号出力部から出力される映像信号の映像を表示させる第３の制御コマンドを送信すること
を特徴とする映像出力装置。
【請求項４】
映像出力装置と通信する表示装置であって、
前記映像出力装置から出力される映像信号を入力する映像信号入力部と、
前記映像信号入力部から入力された映像信号の映像を表示する表示部と、
前記映像信号入力部から入力された映像信号の映像を前記表示部が表示しているか否かを問い合わせる第１の制御コマンドを受信する制御信号受信部と、
前記映像信号入力部から入力された映像信号の映像を前記表示部が表示しているか否かを知らせる第２の制御コマンドを、前記第１の制御コマンドの応答として送信する制御信号送信部と
を備えることを特徴とする表示装置。
【請求項５】
前記映像信号入力部、前記制御信号受信部、及び前記制御信号送信部は、ＨＤＭＩにより前記表示装置と通信し、
前記制御信号受信部及び前記制御信号送信部は、ＨＤＭＩ  ＣＥＣによる制御コマンドを通信すること
を特徴とする請求項４記載の表示装置。
【発明の詳細な説明】
【技術分野】
【０００１】
本発明は、映像信号を出力する映像出力装置、及び映像を表示する表示装置に関する。
【背景技術】
【０００２】
近年、映像出力装置や表示装置等の間を接続するインタフェースとして、ＨＤＭＩ（Ｈｉｇｈ−Ｄｉｆｉｎｉｔｉｏｎ  Ｍｕｌｔｉｍｅｄｉａ  Ｉｎｔｅｒｆａｃｅ）が普及しつつある（例えは、非特許文献１参照）。ＨＤＭＩでは、各機器間をお互いに制御するために、ＣＥＣ（Ｃｏｎｓｕｍｅｒ  Ｅｌｅｃｔｒｏｎｉｃｓ  Ｃｏｎｔｒｏｌ）と呼ばれる制御機器信号及び制御プロトコルが規格化されている。
【０００３】
特に、ＨＤＭＩ  ＣＥＣでは、Ｏｎｅ  Ｔｏｕｃｈ  Ｐｌａｙと呼ばれる機能が規定されている。これは、ユーザが映像出力装置に付属するリモコン等の操作により、映像出力装置が出力するメニュー画面を表示装置に表示させるものである。このとき、１．表示装置の表示を映像出力装置から出力される映像に切り換えること、２．映像出力装置のメニュー画面の出力／非出力状態を切り換える、の２つの処理が行われる。
【非特許文献１】Ｈｉｔａｃｈｉ，Ｌｔｄ．、他６社、“Ｈｉｇｈ−Ｄｅｆｉｎｉｔｉｏｎ  Ｍｕｌｔｉｍｅｄｉａ  Ｉｎｔｅｒｆａｃｅ  Ｓｐｅｃｉｆｉｃａｔｉｏｎ  Ｖｅｒｓｉｏｎ  １．３”、［ｏｎｌｉｎｅ］、２００６年６月２２日、ＨＤＭＩ  Ｌｉｃｅｎｓｉｎｇ，ＬＬＣ、［平成１８年９月２３日検索］、インターネット（ＵＲＬ：http://www.hdmi.org/）
【発明の開示】
【発明が解決しようとする課題】
【０００４】
しかしながら、従来のＨＤＭＩ  ＣＥＣでは、映像出力装置が出力する映像を表示装置が表示しているか否かを確認する手段が無く、映像出力装置のメニュー出力状態と表示装置の入力状態の組合せによっては、ユーザの見た目上メニュー表示がユーザの意図通りに切り替わらない場合があった。
【０００５】
そこで本発明は、表示装置の入力状態に応じた処理を映像出力装置に行わせることのできる映像処理装置及び表示装置を提供することを目的とする。
【課題を解決するための手段】
【０００６】
上記目的を達成するために、本発明の映像出力装置は、表示装置と通信する映像出力装置であって、映像信号を前記表示装置に出力する映像信号出力部と、前記映像信号出力部が出力する映像信号の映像を前記表示装置が表示しているか否かを確認する第１の制御コマンドを送信する制御信号送信部と、前記映像信号出力部が出力する映像信号の映像を前記表示装置が表示しているか否かを知らせる第２の制御コマンドを、前記第１の制御コマンドの応答として受信する制御信号受信部とを備えることを特徴とする。
【０００７】
請求項４記載の表示装置は、映像出力装置と通信する表示装置であって、前記映像出力装置から出力される映像信号を入力する映像信号入力部と、前記映像信号入力部から入力された映像信号の映像を表示する表示部と、前記映像信号入力部から入力された映像信号の映像を前記表示部が表示しているか否かを問い合わせる第１の制御コマンドを受信する制御信号受信部と、前記映像信号入力部から入力された映像信号の映像を前記表示部が表示しているか否かを知らせる第２の制御コマンドを、前記第１の制御コマンドの応答として送信する制御信号送信部とを備えることを特徴とする。
【発明の効果】
【０００８】
本発明によれば、表示装置の入力状態に応じた処理を映像出力装置に行わせることのできる映像処理装置及び表示装置を提供することができる。
【発明を実施するための最良の形態】
【０００９】
以下、本発明の映像出力装置及び表示装置について、図面を参照しながら説明する。
【実施例１】
【００１０】
図１は、本発明の実施例に係る映像出力装置及び表示装置が使用される通信システムの構成を示す図である。通信システム１は、映像出力装置２と、表示装置３とから構成され、両者はＨＤＭＩ信号線４で接続される
【００１１】
映像出力装置２は、例えばＤＶＤ（Ｄｉｇｉｔａｌ  Ｖｅｒｓａｔｉｌｅ  Ｄｉｓｋ）プレーヤ、セットトップボックス（ＳＴＢ）、記録再生装置等であり、表示装置３は、例えばデジタルテレビ等である。両者はＨＤＭＩ端子を有しているものとする。
【００１２】
映像出力装置２は、ＤＶＤ等の記憶媒体に記憶されたデータを再生して得られる映像信号や音声信号、或いはメニュー画面の映像信号を、ＨＤＭＩ信号線４を介して表示装置３に出力する機能を持つ。
【００１３】
また表示装置２は、ユーザが操作するリモコン２ａから操作信号を受信することができる。映像出力装置２は、この操作信号に基づいてＨＤＭＩ  ＣＥＣ（以下単にＣＥＣとも称す）に基づく制御コマンドを表示装置３に送信することにより、例えば映像出力装置２が出力するメニュー画面を表示装置３に表示させることができる。
【００１４】
表示装置３は、映像出力装置２から出力される映像信号を表示させることができる他、例えば図示しないアンテナ入力線から入力され、チューナで受信する放送波に基づく映像や、映像出力装置２以外の装置から映像信号が入力されている映像等を表示させることができるものとする。
【００１５】
尚、本実施例ではユーザがメニュー画面を操作するために操作入力する入力インタフェースとして映像出力装置２とは物理的に分かれたリモコン２ａを使用しているがこれに限られるものではなく、例えば映像出力装置２の本体に設けられた操作ボタンを入力インタフェースとして用いても良い。
【００１６】
図２は、本実施例における映像出力装置２の概略構成を示すブロック図である。映像出力装置２は、メイン処理部２１、リモコン通信部２２、映像送信部２３、コマンド送信部２４から構成される。メイン処理部２１、映像送信部２３、コマンド送信部２４は、其々制御線（Ｉ２Ｃ  Ｂｕｓ）を介して接続されている。
【００１７】
メイン処理部２１は、例えば記憶媒体（図示せず）に記憶されたデータを再生して得られる映像信号や音声信号、或いはメニュー画面を作成してそれを映像信号に重畳し、映像線から映像送信部２３に出力する機能を有する。
【００１８】
また、メイン処理部２１は、リモコン通信部２２で受信したリモコン２ａからの操作信号に基づき、必要に応じてコマンド送受信部２４に制御コマンドを送信させる。
【００１９】
特に、リモコン２ａはメニュー画面の表示／非表示状態を同一の操作で交互に切り換える（トグル）ためのメニュー画面表示切替ボタン２ｂを有している。リモコン２ａからのメニュー画面表示切替ボタン２ｂの押下に伴う操作信号をリモコン通信部２２で受信すると、メイン処理部２１はメニュー画面の出力状態を適宜変化させると共に、表示装置３の入力を映像出力装置２からの映像信号に切り換える制御コマンドを送信する。このとき、メニュー画面の出力状態の切換を行うか否かは、表示装置３の状態に応じて判断するが、この処理については後に図４等を参照しながら説明する。
【００２０】
また、メイン処理部２１はコマンド送受信部２４による表示装置３との制御コマンドの送受信を制御する。
メイン処理部２１で処理された映像信号は、先述の通り映像線を介して映像送信部２３に入力され、ＨＤＭＩ信号線４を構成する映像送信線４ａ（ＴＭＤＳ：Ｔｒａｎｓｉｔｉｏｎ  Ｍｉｎｉｍｉｚｅｄ  Ｄｉｆｆｅｒｅｎｔｉａｌ  Ｓｉｇｎａｌｉｚｉｎｇ）から表示装置３へ出力される。
【００２１】
コマンド送受信部２４は、先述の通りメイン処理部２１からの制御の下、ＨＤＭＩ信号線４を構成するコマンド送受信線４ｃを介してＣＥＣの制御コマンドを送受信する。特に、映像送信部２３が出力する映像信号を表示装置３が表示しているか否かを確認するための制御コマンドを送信すると共に、その応答の制御コマンドを受信する機能を持つ。制御コマンドの詳細は図６、図７などを参照しながら後述する。
【００２２】
また、映像信号の送信及び制御コマンドの送受信に必要な物理アドレスは、ＨＤＭＩ信号線４を構成するアドレス受信線４ｂを介して決定される。
図３は、本実施例における表示装置３の概略構成を示すブロック図である。表示装置３は、メイン処理部３１、コマンド送受信部３２、映像受信部３３、表示部３４から構成される・メイン処理部３１、コマンド送受信部３２、映像受信部３３は、制御線（Ｉ２Ｃ  Ｂｕｓ）を介して接続されている。
【００２３】
メイン処理部３１は、コマンド送受信部３２による映像出力装置２との制御コマンドの送受信を制御する。
コマンド送受信部３２は、メイン処理部３１による制御の下、ＨＤＭＩ信号線４を構成するコマンド送受信線４ｃを介してＣＥＣの制御コマンドを送受信する。特に、映像出力装置２から映像受信部３３に入力される映像信号の映像を表示部３４に表示しているか否かを問い合わせる制御コマンドを受信し、それに対し応答する機能を持つ。制御コマンドの詳細は図６、図７等を参照しながら後述する。
【００２４】
また、メイン処理部３１はコマンド送受信部３２を介して映像受信部３３の制御を行う。ＨＤＭＩ信号線４を構成する映像受信線４ａ（図２では映像送信線４ａとして説明）を介して映像受信部３３に入力される映像信号は、映像線を介して表示部３５に送られ、表示部３５が表示する。
【００２５】
映像信号の受信及び制御コマンドの送受信に必要な物理アドレスは、ＨＤＭＩ信号線４を構成するアドレス送信線４ｂ（図２ではアドレス受信線４ｂとして説明）を介して決定する。
【００２６】
表示部３４は、映像受信線３３から出力される映像信号による映像の他、図示しないチューナで受信した放送波の映像や、映像出力装置２以外の外部装置から入力された映像信号の映像等を表示することもできる。
【００２７】
以下、本実施例による  ＨＤＭＩ  ＣＥＣのＯｎｅ  Ｔｏｕｃｈ  Ｐｌａｙ機能の動作を、図４を参照しながら説明する。
ユーザによるリモコン２ａのメニュー画面表示切替ボタン２ｂの操作等により、Ｏｎｅ  Ｔｏｕｃｈ  Ｐｌａｙ機能を用いてユーザのメニュー表示処理（メニュー表示状態からメニュー非表示状態に、メニュー非表示状態ならメニュー表示状態に）を行う場合、映像出力装置３のメニュー画面出力状態（メニュー画面出力／非出力）及び表示装置３の入力状態（ＨＤＭＩ入力、ＨＤＭＩ入力以外）の組合せにより、４通りのパターンが存在する。通常は、メニュー画面表示切替ボタン２ｂ（図中では「メニュー画面ボタン」とも称する）の押下に応じて映像出力装置のメニュー画面の出力状態をトグルで切り換えると共に、表示装置の入力をＨＤＭＩに切り換える（即ち、映像出力装置２から出力される映像信号の映像の表示に切り換える）ことで、ユーザの所望する状態を実現することができる。このような例を図４の（ａ）（ｂ）（ｄ）に示す。
【００２８】
図４（ａ）では、初期状態で表示装置３の入力は放送波（ＯｎＡｉｒ）となっており（即ち、表示部３４は図示しないチューナからの放送波の映像を表示）、映像出力装置２のメイン処理部２１によるメニュー画面の出力はオフ状態となっている（即ちメニュー画面は表示されていない）。この状態でユーザがメニュー画面表示切替ボタン２ｂを押下したことをリモコン通信部２２で受信した操作信号により検知すると、映像出力装置２のコマンド送受信部２４は表示装置３の入力をＨＤＭＩ信号線４（即ち映像出力装置２からの映像信号）に切り換える制御コマンドを送信すると共に、メイン処理部２１が作成するメニュー画面の出力状態をトグルで切り換える（即ちオンにする）。これにより、ユーザは表示装置３の表示部３４でメニュー画面を見ることができるようになる。
【００２９】
図４（ｂ）では、初期状態で表示装置３の入力はＨＤＭＩ（即ち表示部３４は映像出力装置３から出力される映像を表示）、映像出力装置２のメニュー画面の出力状態はオフ状態となっている（即ちメニュー画面は表示されていない）。この状態でユーザがメニュー画面表示切替ボタン２ｂを押下したことを検知すると、コマンド送受信部２４は表示装置３の入力をＨＤＭＩ信号線４に切り換える制御コマンドを送信すると共に、メニュー画面の出力状態をトグルで切り換える（即ちオンにする）。これにより、ユーザは表示装置３でメニュー画面を見ることができる。
【００３０】
図４（ｄ）では、初期状態で表示装置３の入力はＨＤＭＩ（即ち表示部３４は映像出力部３から出力される映像を表示）、映像出力部２のメニュー画面の出力状態はオン状態となっている（即ちメニュー画面は表示部３４に表示されている）。この状態でメニュー画面表示切替ボタン２ｂの押下したことを検知すると、コマンド送受信部２４は表示装置３の入力をＨＤＭＩ信号線４に切り換える制御コマンドを送信すると共に、メニュー画面の出力状態をトグルで切り換える（即ちオフにする）。図４（ｄ）初期状態はユーザはメニュー画面を見ている状態であるので、メニュー画面表示切替ボタン２ｂを押下した場合には、メニュー画面を非表示に切り換えることをユーザは意図している。即ち、ユーザの意図通りの状態を実現することができている。
【００３１】
しかしながら、図４（ｃ）の初期状態では、表示装置の入力は放送波（ＯｎＡｉｒ）となっており（即ち、表示装置３４は図示しないチューナからの放送波の映像を表示）、映像出力部２のメニュー画面の出力状態はオン状態となっている（即ちメニュー画面は表示されていない）。この状態からメニュー画面表示切替ボタン２ｂを押下したことを検知した場合に、上述の処理と同様に表示装置３の入力をＨＤＭＩ信号線４に切り換える制御コマンドを送信すると共に、メニュー画面の出力状態をトグルで切り換える（即ちオフにする）と、操作前も操作後も表示部３４にはメニュー画面が表示されないという事態が生じる。
【００３２】
そこで、本実施例では、図４（ｃ）に示すように、表示装置の入力がＨＤＭＩ信号線４ではなく（即ち、表示部３４が映像出力装置２からの映像信号を表示しておらず）、且つ、映像出力装置２がメニュー画面の出力状態である場合に、メニュー画面の出力状態を切り換えない制御を行う。
【００３３】
従来のＣＥＣでは、表示装置３の入力がＨＤＭＩ信号線４であるか否かを確認する手段が無かったが、本実施例では、映像出力装置２から表示装置３に対し、入力状態がＨＤＭＩであり映像出力装置２の出力が表示されているか否かを確認する手段を新たに追加し、更に上述のメニュー画面の切換制御方法を採用することにより、図４（ｃ）の状態でもユーザの視点から見てメニュー表示をオフからオンに切り換えるよう適切な動作を行う。
【００３４】
図５は、本実施例における映像出力装置２の動作を示すフローチャートである。
まず、メイン処理部２１は、メニュー画面表示切替ボタン２ｂが押下されたことを、リモコン通信部２２で受信した操作信号により検知する（Ｓ７０１）。
すると、メイン処理部２１がメニュー画面の出力状態がオンであるか否かを確認し（Ｓ７０２）、メニュー画面の出力がオフである場合には（Ｓ７０２のＮｏ）、メイン処理部２１は、メニュー画面の出力状態をトグル（オン→オフ、若しくはオフ→オン）で切り換える（Ｓ７０３）。
【００３５】
メイン処理部２１がメニュー画面の出力状態であれば（Ｓ７０２のＹｅｓ）、表示装置３の入力状態を確認する制御コマンドをコマンド送受信部２４は送信する（Ｓ７０４）。
【００３６】
図６は、Ｓ７０４でコマンド送受信部２４が表示装置３に送信する入力状態を確認する制御コマンドの例を示す図である。Ｉｎｉｔｉａｔｏｒの４ビットには、制御コマンドを送信する映像出力装置２の論理アドレスが入り、Ｄｅｓｔｉｎａｔｉｏｎの４ビットには、入力状態の問合せ先である表示装置３の論理アドレスが入る。
【００３７】
さらに、Ｏｐｃｏｄｅの８ビットに、Ｖｅｎｄｏｒコマンドであることを示す値「０ｘ８９」が入り、Ｏｐｅｒａｎｄ［０］の８ビットに、表示装置３の入力状態を確認する入力状態確認要求（図６の例では「Ｃｈｅｃｋ  Ｉｎｐｕｔ  Ｒｅｑｕｅｓｔ」と表記）に対してあらかじめ割り当てられたコード「０ｘ０１」が入っている。
【００３８】
尚、入力状態確認要求の制御コマンドに対して割り当てられるコードは「０ｘ０１」に限られるものではない（図７の制御コマンドについても同様）。
図７は、Ｓ７０４でコマンド送受信部が表示装置３から受信する、図６に例を示した入力状態確認要求に対するレスポンスの例を示す図である。Ｉｎｉｔｉａｔｏｒの４ビットには、当該制御コマンドを送信する表示装置２の論理アドレスが入り、Ｄｅｓｔｉｎａｔｉｏｎの４ビットには、当該レスポンスの送信先である映像出力装置２の論理アドレスが入る。
【００３９】
また、Ｏｐｃｏｄｅの８ビットに、Ｖｅｎｄｅｒコマンドであることを示す値「０ｘ８９」が入り、Ｏｐｒａｎｄ［０］の８ビットに、入力状態確認要求に対するレスポンス（図７の例では「Ｃｈｅｃｋ  Ｉｎｐｕｔ  Ｒｅｓｐｏｎｓｅ」と表記）に対して予め割り当てられたコード「０ｘ０２」が入っている。
【００４０】
そして、Ｏｐｅｒａｎｄ［１］［２］の全１６ビット（２ｂｙｔｅｓ）には、現在表示装置３が入力を受けている装置の物理アドレスが入る。この物理アドレスが映像出力装置２又は図示しない中継装置の物理アドレスと一致すれば表示装置３は映像出力装置２からの映像信号の入力を受けていることを示す。特に中継装置が途中に介在する場合には、表示装置、中継装置のおのおのに対して入力状態の確認を行うことにより、表示装置の表示が映像出力装置２が出力する映像信号によるものであるか否かを判断することができる。それ以外の装置の物理アドレスであれば、表示装置３は映像出力装置２からの映像信号の入力を受信していないことがわかる。
【００４１】
このような表示装置３への問い合わせの結果、表示装置３の入力がＨＤＭＩ信号線４（映像出力装置２の出力）である場合には（Ｓ７０５のＹｅｓ）、メイン処理部２１は、メニュー画面の出力状態をトグル（オン→オフ、若しくはオフ→オン）で切り換える（Ｓ７０３）。
【００４２】
もし、メニュー画面の出力がオンであり（Ｓ７０２のＹｅｓ）、且つ表示装置３に入力されている映像信号が映像出力装置２以外のものである場合には（Ｓ７０５のＮｏ）、ステップ７０３をスキップし、メイン処理部２１はメニュー画面の出力状態のトグルを行わない。
【００４３】
上述の処理（Ｓ７０５のＮｏ又はＳ７０３）の後、コマンド送受信部２４は、入力を映像出力装置２へ切り換える制御コマンドを表示装置３へ送信する。
尚、本実施例では表示装置３の入力状態に関わらず、入力を映像出力装置２へ切り換える制御コマンドを表示装置３へ送信しているがこれに限られるものではなく、Ｓ７０４での問い合わせの結果に応じて、入力を映像出力装置２へ切り換える制御コマンドを送信するか否かを判断するようにしても良い。
【００４４】
図８は、本実施例における表示装置３の動作を示すフローチャートである。
映像出力装置２からの、図６に例を示した入力状態の確認要求の制御コマンドをコマンド送受信部３２で受信すると（Ｓ８０１）、コマンド送受信部３２はその応答として、表示装置３４が表示している映像の映像信号が入力されている装置の情報を、図７に例を示した制御コマンドとして映像出力装置２に送信する。
【００４５】
以上説明したように、本実施例によれば、映像出力装置２からの映像信号の映像を表示装置３が表示しているか否かを確認することができるので、表示装置３の入力状態に応じた処理を映像処理装置２は行うことができる。
【００４６】
特に、図４（ｃ）を参照して説明したように、映像出力装置３がメニュー画面の映像信号を出力している場合であって表示装置３が映像出力装置３からの映像を表示していない場合に、ユーザがメニュー画面の表示状態を切り換える操作入力を行った場合であっても、ユーザの意図通りに、表示部３４のメニュー画面の表示状態を切り換えることができる。
【図面の簡単な説明】
【００４７】
【図１】本発明の実施例１に係る映像出力装置及び表示装置が使用される通信システムの構成を示す図。
【図２】本発明の実施例１に係る映像出力装置の概略構成を示すブロック図。
【図３】本発明の実施例１に係る表示装置の概略構成を示すブロック図。
【図４】本発明の実施例１に係る通信システムのＯｎｅ  Ｔｏｕｃｈ  Ｐｌａｙ機能の動作を説明するための図。
【図５】本発明の実施例１に係る映像出力装置の処理の流れを示すフローチャート。
【図６】本発明の実施例１に係る映像出力装置が送信する制御コマンドの例を示す図。
【図７】本発明の実施例１に係る表示装置が送信する制御コマンドの例を示す図。
【図８】本発明の実施例１に係る表示装置の処理の流れを示すフローチャート。
【符号の説明】
【００４８】
１・・・通信システム
２・・・映像出力装置
２ａ・・・リモコン
２ｂ・・・メニュー画面表示切替ボタン
３・・・表示装置
４・・・ＨＤＭＩ信号線
４ａ・・・映像送信線、映像受信線
４ｂ・・・アドレス受信線、アドレス送信線
４ｃ・・・コマンド送受信線
２１・・・メイン処理部
２２・・・リモコン通信部
２３・・・映像送信部
２４・・・コマンド送受信部
３１・・・メイン処理部
３２・・・コマンド送受信部
３３・・・映像受信部
３４・・・表示部
【図１】
2008092208.tif 000003
【図２】
2008092208.tif 000004
【図３】
2008092208.tif 000005
【図４】
2008092208.tif 000006
【図５】
2008092208.tif 000007
【図６】
2008092208.tif 000008
【図７】
2008092208.tif 000009
【図８】
2008092208.tif 000010